(57)【要約】【課題】コイルスプリングの蓄勢力でＩＣカードが外に出される際に、コネクタハウジングの外に放り出されるのを防止できるＩＣカード用コネクタを得る。【解決手段】コネクタハウジング２内に対向する広面３ａと対向する挟面３ｂとでカード挿入通路３を設ける。カード挿入通路３に沿わせてコネクタハウジング２の側部にハートカム式ロック機構５を組み込む。ハートカム式ロック機構５は、スライダー７の手前側の部分に、カード挿入通路３の対向する広面３ａに直交する方向に弾性的に曲がる板バネ１２を連設する。板バネ１２の手前側の端部に操作子１３を固定する。操作子１３は、カード挿入通路３側に張り出してＩＣカードを受けるカード受け部１３ａを備えている。【選択図】図１
2008090636.tif 000002
【特許請求の範囲】
【請求項１】
コネクタハウジング内にＩＣカードを挿入するために対向する広面と対向する挟面とでカード挿入通路が設けられ、前記カード挿入通路内に前記ＩＣカードの各電極に接触する各コンタクトが組み込まれ、前記カード挿入通路に沿わせて前記コネクタハウジングの側部にハートカム式ロック機構が組み込まれ、前記ハートカム式ロック機構は前記カード挿入通路に前記ＩＣカードが挿入されたときにロックし、ロック状態の前記ＩＣカードに再度押し込み力が加わったときには前記ＩＣカードを前記カード挿入通路の手前側に戻す構造になっているＩＣカード用コネクタであって、
前記ハートカム式ロック機構は、前記ＩＣカードの挿入で後退し、前記ＩＣカードの排出時に手前側に戻るスライダーを備え、前記スライダーの手前側の部分に、前記カード挿入通路の対向する広面に直交する方向に弾性的に曲がる板バネが連設され、前記板バネの手前側の端部に操作子が固定され、前記操作子は前記カード挿入通路側に張り出して前記ＩＣカードを受けるカード受け部を備えていることを特徴とするＩＣカード用コネクタ。
【発明の詳細な説明】
【技術分野】
【０００１】
本発明は、ＩＣカードの接続を行うＩＣカード用コネクタに関する。
【背景技術】
【０００２】
従来、この種のＩＣカード用コネクタとしては、下記に示すような構造のものが提案されていた。
【０００３】
まず、従来のＩＣカード用コネクタの構造について図面を参照して説明する。ここで、
図３は従来のＩＣカード用コネクタの正面図、図４は図３のＸ-Ｘ線断面図である。
【０００４】
図示のように従来のＩＣカード用コネクタ１は、コネクタハウジング２に、ＩＣカードＡを挿入するためのカード挿入通路３が設けらけれている。カード挿入通路３は、対向する広面３ａと対向する挟面３ｂとで断面長方形状に形成されている。コネクタハウジング２内には、カード挿入通路３に臨ませてＩＣカードＡの各板状電極に接触させる各コンタクト４が組み込まれている
コネクタハウジング２内には、カード挿入通路３の脇にハートカム式ロック機構５が組み込まれている。ハートカム式ロック機構５は、カード挿入通路３にＩＣカードＡが挿入されたときにロックし、ロック状態のＩＣカードＡに再度押し込み力が加わったときにはこのＩＣカードＡをカード挿入通路３の手前側に戻す構造になっている。
【０００５】
本例のハートカム式ロック機構５は、基本的には、ハートカム６が設けられていて前後にスライドするスライダー７と、このスライダー７上にハートカム６の周囲と奥側に向けて設けられたガイド溝８と、基端の折り曲げ部９ａがコネクタハウジング２の奥側に回転自在に支持され、先端の折り曲げ部９ｂがガイド溝８に嵌められているロックピン９と、基端がコネクタハウジング２の奥側に当接され、先端がスライダー７に当接されてこのスライダー７をカード挿入通路３の手前側に戻すコイルスプリング１０と、スライダー７の奥部に一体に設けられて挿入されたＩＣカードＡの奥部を受けるカード受け部１１とを備えた構造になっている。ハートカム６の外周部分に存在するガイド溝８の部分は、ロックピン９の先端の折り曲げ部９ｂが一方向にのみ回れるように各部分で底面が進行方向に傾斜面として上昇し、次の傾斜面との境界で段差部となって次の傾斜面の最低部に続くようになっている（例えば、特許文献１参照。）。
【０００６】
このようなＩＣカード用コネクタ１では、操作者の操作でＩＣカードＡがカード挿入通路３に押し込まれ、このＩＣカードＡの押し込みによりカード受け部１１を介してスライダー７が奥に押し込まれ、このスライダー７の押し込み動作で、停止状態のロックピン９の先端の折り曲げ部９ｂが相対的に前に出て、この折り曲げ部９ｂがハートカム６の外周部分で両側の円弧状部がなす凹部６ａの所に回ってきたときにスライダー７がロックされ、ＩＣカードＡがカード挿入通路３内の所定の位置に置かれ、電気的な接続になる。スライダー７が奥に押し込まれると、コイルスプリング１０が圧縮されて蓄勢される。この状態で、ＩＣカードＡの外に出ている端部を再度押し込むと、カード受け部１１を介してスライダー７が再度奥に押し込まれ、このスライダー７の押し込み動作で、停止状態のロックピン９の先端の折り曲げ部９ｂが相対的に前に出て、この折り曲げ部９ｂがハートカム６の外周の凹部６ａから外れて再度一方向に回り出す。この動作でロックピン９の先端の折り曲げ部９ｂが、前後方向に延びるガイド溝８の直線部分に入り、コイルスプリング１０の蓄勢により、スライダー７が手前側に戻され、ＩＣカードＡが外に出るのでカード挿入通路３から取り出す。
【特許文献１】特開２００３−３１７８６１号公報  図１
【発明の開示】
【発明が解決しようとする課題】
【０００７】
しかしながら、このようなＩＣカード用コネクタ１では、ＩＣカードＡをコネクタハウジング２から外そうとして、ＩＣカードＡの外に出ている端部を再度押し込み、カード受け部１１を介してスライダー７を再度奥に押し込んで、ロックピン９の折り曲げ部９ｂをハートカム６の外周の凹部６ａから外すと、コイルスプリング１０の蓄勢力でスライダー７が手前側に一気に戻され、ＩＣカードＡが外に出る際にこのＩＣカードＡがコネクタハウジング２の外に放り出される場合があった。
【０００８】
本発明の目的は、コイルスプリングの蓄勢力でＩＣカードが外に出される際に、コネクタハウジングの外に放り出されるのを防止できるＩＣカード用コネクタを提供することにある。
【課題を解決するための手段】
【０００９】
上記の如き課題を解決し、所期の目的を達成する本発明のＩＣカード用コネクタの構成を説明すると、次のとおりである。
【００１０】
請求項１に記載の発明は、コネクタハウジング内にＩＣカードを挿入するために対向する広面と対向する挟面とでカード挿入通路が設けられ、前記カード挿入通路内に前記ＩＣカードの各電極に接触する各コンタクトが組み込まれ、前記カード挿入通路に沿わせて前記コネクタハウジングの側部にハートカム式ロック機構が組み込まれ、前記ハートカム式ロック機構は前記カード挿入通路に前記ＩＣカードが挿入されたときにロックし、ロック状態の前記ＩＣカードに再度押し込み力が加わったときには前記ＩＣカードを前記カード挿入通路の手前側に戻す構造になっているＩＣカード用コネクタであって、
前記ハートカム式ロック機構は、前記ＩＣカードの挿入で後退し、前記ＩＣカードの排出時に手前側に戻るスライダーを備え、前記スライダーの手前側の部分に、前記カード挿入通路の対向する広面に直交する方向に弾性的に曲がる板バネが連設され、前記板バネの手前側の端部に操作子が固定され、前記操作子は前記カード挿入通路側に張り出して前記ＩＣカードを受けるカード受け部を備えていることを特徴とする。
【発明の効果】
【００１１】
本発明に係るＩＣカード用コネクタでは、コイルスプリングの蓄勢力でＩＣカードが外に出される際に、コネクタハウジングの外に放り出されるのを、カード挿入通路側に張り出している操作子のカード受け部で受けることにより防止するができる。
【００１２】
ＩＣカードをカード挿入通路に挿入するには、操作子のカード受け部が邪魔になるが、板バネの曲がり易い性質を利用して操作子を押し下げ、一緒にカード受け部を下げ、この状態でＩＣカードを容易にカード挿入通路に挿入することができる。操作子の押し下げ力を除去すると、板バネの復元力で操作子とカード受け部とは、元の位置に戻る。
【発明を実施するための最良の形態】
【００１３】
以下、本発明に係るＩＣカード用コネクタを実施するための最良の形態を、図面を参照して詳細に説明する。ここで、図１は本発明に係るＩＣカード用コネクタを実施するための最良の形態を示す斜視図である。なお、前述した図３と図４と対応する部分には、同一符号を付けて示している。
【００１４】
本例のＩＣカード用コネクタ１では、スライダー７の手前側の部分に、カード挿入通路３の対向する広面３ａに直交する方向に弾性的に曲がる板バネ１２が連設されている。この板バネ１２の手前側の端部に操作子１３が一体に固定されている。操作子１３は、カード挿入通路３側に張り出してＩＣカードＡを受けるカード受け部１３ａを備えている。
【００１５】
次に本例のＩＣカード用コネクタ１にＩＣカードの挿入方法を説明する。図２（Ａ）（Ｂ）は本例のＩＣカード用コネクタでコネクタハウジングの上部を外した状態の断面図であり、ＩＣカード挿入前の状態とＩＣカードが挿入された状態を示している。
【００１６】
ＩＣカードＡをカード挿入通路３に挿入するには、操作子１３のカード受け部１３ａが邪魔になるが、板バネ１２の曲がり易い性質を利用して操作子１３を押し下げ、一緒にカード受け部１３ａを下げ、この状態でＩＣカードＡを容易にカード挿入通路３に挿入することができる。操作子１３の押し下げ力を除去すると、板バネ１２の復元力で操作子１３とカード受け部１３ａとは、元の位置に戻り、図２（Ａ）に示す状態となる。このハートカム式ロック機構５では、ＩＣカードＡのカード挿入通路３に対する挿入時に、操作子１３を押し込むと、そのカード受け部１３ａでＩＣカードＡをカード挿入通路３に挿入することができる。
【００１７】
このような構造のＩＣカード用コネクタ１では、コイルスプリング１０の蓄勢力でＩＣカードＡが外に出される際に、コネクタハウジング２の外に放り出されるのを、カード挿入通路３側に張り出している操作子１３のカード受け部１３ａで受けることにより防止するができる。
【図面の簡単な説明】
【００１８】
【図１】本発明に係るＩＣカード用コネクタの一例を示す斜視図である。
【図２】同上の上部を外した状態の断面図であり、（Ａ）はＩＣカード挿入前、（Ｂ）はＩＣカードを挿入した状態である。
【図３】従来のＩＣカード用コネクタの一例を示す正面図である。
【図４】同上のＸ-Ｘ線断面図である。
【符号の説明】
【００１９】
Ａ  ＩＣカード
１  ＩＣカード用コネクタ
２  コネクタハウジング
３  カード挿入通路
３ａ  広面
３ｂ  挟面
４  コンタクト
５  ハートカム式ロック機構
６  ハートカム
７  スライダー
８  ガイド溝
９  ロックピン
９ａ  折り曲げ部
９ｂ  折り曲げ部
９  ロックピン
１０  コイルスプリング
１１  カード受け部
１２  板バネ
１３  操作子
１３ａ  カード受け部
【図１】
2008090636.tif 000003
【図２】
2008090636.tif 000004
【図３】
2008090636.tif 000005
【図４】
2008090636.tif 000006